(57)【要約】      （修正有）【課題】今日の粘着式ローラークリーナは、使用後様々な手段で表面の粘着テープを剥がし取る方式であるが、髪の毛等長いものが絡みつくと表面の粘着テープを剥がし取ることができない状況が発生する。【解決手段】  粘着式ローラークリーナにおいて、使用直前に筒状の粘着テープを巻きつけ、使用後は、その筒状の粘着テープを髪の毛等が付着した状態でローラーから引き抜くことによって、絡みついた髪の毛等を処理する。【選択図】図４
2008000559.tif 000002
【特許請求の範囲】
【請求項１】
粘着式ローラークリーナにおいて、使用直前に筒状の粘着テープを巻きつけ、使用後は、その筒状の粘着テープをローラーから引き抜くことを特徴とする粘着式ローラークリーナ
【請求項２】
請求項１に記載の粘着式ローラークリーナにおいて、ローラーに粘着テープを巻きつけるために、一辺をローラーの円周の長さよりも若干長い長さとし、他の一辺をローラーの軸方向の長さとする１枚の平面粘着テープにおいて、裏面のロー付け面のローラーの軸方向の一辺に沿って一定の幅でロー付けコーティングしない糊しろ部を構成し、ローラーに巻きつけた時点で表面の粘着面と接着させることを特徴とする粘着式ローラークリーナ
【請求項３】
請求項１に記載の粘着式ローラークリーナにおいて、ローラーに巻きつけるための平面粘着テープを、裏面のロー付け面を上にして多重に積層した積層パッドを構成し、ローラーを上から近づけて、その平面粘着テープの最上段の１枚をローラーに巻きつける際に、巻き付けやすくするための耳を平面粘着テープのローラーに巻きつけ始める側の一端に設け、その耳を粘着面が上になるように折り曲げて、ローラーの一部に接着させながら、平面粘着テープを誘導しつつ巻きつけることを特徴とする粘着式ローラークリーナ
【請求項４】
請求項１に記載の粘着式ローラークリーナにおいて、平面粘着テープの積層パッドを固定し、ローラーに平面粘着テープを巻きつけやすくするためのガイドを設ける積層パッドホールダーを併用することを特徴とする粘着式ローラークリーナ
【請求項５】
請求項１に記載の粘着式ローラークリーナにおいて、筒状の粘着テープの形状を円錐台型にしてややテーパをもたせ、一方の直径を軸芯の直径と同等もしくはやや小さめにし、片方の直径をローラー軸芯の直径よりもやや大きめにすることを特徴とする粘着式ローラークリーナ
【請求項６】
請求項１に記載の粘着式ローラークリーナにおいて、筒状円錐台型にした粘着テープを平に折りたたんで、表面の粘着面がお互いに直接接触しないように、間にロー付け紙を挟んで多重に積層した積層パッドを構成し、平に折りたたんだ粘着テープを一筒づつとって折りたたまれた角を手で外側から押しながら、筒状円錐台型の吹流し状に広げ、ローラー軸芯の直径よりもやや大きめの直径をもつ片方から、ローラーを挿入させた後使用し、使用後は、その筒状の粘着テープをローラーから引き抜くことを特徴とする粘着式ローラークリーナ
【発明の詳細な説明】
【技術分野】
【０００１】  この発明は粘着式ローラークリーナにおいて、粘着テープの巻きほどけの防止及び髪の毛等長いものが絡み付いても剥がし取らずにそのまま廃棄する技術に関するものである。
【背景技術】
【０００２】    従来この種の粘着式ローラークリーナにおいては、安価に製造する観点から、トイレットペーパーと同じ巻きつけ方式が主体であり、かつ使用後様々な手段で表面の粘着テープを剥がし取る方式である。
【発明の開示】
【発明が解決しようとする課題】
【０００３】  今日の技術では、トイレットペーパーと同じ巻きつけ方式で、かつ使用後様々な手段で表面の粘着テープを剥がし取る方式であることから、粘着テープの巻きほどけ及び髪の毛等長いものが絡みつくと表面の粘着テープを剥がし取ることができない状況が発生し、取り扱いが悪く使用者がいらいらする場合が多い。
この取り扱いを良くするために、粘着テープの巻きほどけを防止し、かつ髪の毛等長いものが絡み付いても剥がし取らずにそのまま廃棄する手段を講じる必要がある。
【課題を解決するための手段】
【０００４】  本発明は、上記の課題を解決するために考案したもので、使用直前に筒状の粘着テープを巻きつけ、使用後は、その筒状の粘着テープをローラーから引き抜くことを特徴とするものである。【０００５】また、ローラーに粘着テープを巻きつけるために、一辺をローラーの円周の長さよりも若干長い長さとし、他の一辺をローラーの軸方向の長さとする１枚の平面粘着テープにおいて、裏面のロー付け面のローラーの軸方向の一辺に沿って一定の幅でロー付けコーティングしない糊しろ部を構成し、ローラーに巻きつけた時点で表面の粘着面と接着させるものである。【０００６】さらに、ローラーに巻きつけるための平面粘着テープを、裏面のロー付け面を上にして多重に積層した積層パッドを構成し、ローラーを上から近づけて、その平面粘着テープの最上段の１枚をローラーに巻きつける際に、巻き付けやすくするための耳を平面粘着テープのローラーに巻きつけ始める側の一端に設け、その耳を粘着面が上になるように折り曲げて、ローラーの一部に接着させながら、平面粘着テープを誘導しつつ巻きつけるものである。【０００７】そのために、平面粘着テープの積層パッドを固定し、ローラーに平面粘着テープを巻きつけやすくするためのガイドを設ける積層パッドホールダーを併用するものである。【０００８】    もう一つの手段として、筒状の粘着テープの形状を円錐台型にしてややテーパをもたせ、一方の直径を軸芯の直径と同等もしくはやや小さめにし、片方の直径をローラー軸芯の直径よりもやや大きめにすることを特徴とする筒状の粘着テープを平に折りたたんで、表面の粘着面がお互いに直接接触しないように、間にロー付け紙を挟んで多重に積層した積層パッドを構成し、平に折りたたんだ粘着テープを一筒づつとって折りたたまれた角を手で外側から押しながら、筒状円錐台型の吹流し状に広げ、ローラー軸芯の直径よりもやや大きめの直径をもつ片方から、ローラーを挿入させた後使用し、使用後は、その筒状の粘着テープをローラーから引き抜くことを特徴とするものである。
【発明の効果】
【０００９】  本発明により、粘着テープの巻きほどけを防止し、かつ髪の毛等長いものが絡み付いても剥がし取らずにそのまま廃棄する手段を講じることにより、取り扱いをよりよいものにして使用者のいらつきをなくし、粘着式ローラークリーナを使って掃除を楽しいものにすることができる。
また、ローラーに巻きつけるための平面粘着テープの多重積層パッド及び積層パッドホールダーの制作が容易であることから、安価でかつ短時間に多量の生産が可能である。
【発明を実施するための最良の形態】
【００１０】  以下、本発明の粘着式ローラークリーナの最良の形態について、図面を参照して説明する。
【実施例１】
【００１１】  図１は、使用直前にローラーに平面粘着テープを巻きつける状況を示すもので、１はローラー、２は平面粘着テープ、３は平面粘着テープの多重積層パッドを示す。【００１２】  図２は、使用後に筒状の粘着テープをローラーから引き抜く状況を示すもので、４は使用後に髪の毛等が絡みついた筒状の粘着テープを示す。
この髪の毛等が絡みついた筒状の粘着テープをそのまま捨てることにより、従来の剥がし取る方式では除去しづらかった絡みついた髪の毛等を簡単に廃棄できる。【００１３】  図３は、１枚の平面粘着テープの実施例を示すもので、５はロー付けコーティングしない糊しろ部、６は平面粘着テープをローラーに巻き付けやすくするための耳を示す。
５の部分が平面粘着テープの粘着面と接着され、筒状の粘着テープとなる。また、６の耳は、ローラーに巻きつける際に耳の粘着面が上になるように折り曲げて、ローラーの一部に接着させ、平面粘着テープを誘導しつつ巻きつけるものである。
徒然、耳６又は平面粘着テープ２の一部に折り返しをつけて、多重積層パッド３から一枚づつ剥がしやすくする。【００１４】  図４は、耳６を粘着面が上になるように折り曲げてローラーの一部に接着させている状況を示すものである。【００１５】  図５は、ローラーに巻きつけるための平面粘着テープを、裏面のロー付け面を上にして多重に積層した積層パッドを固定し、ローラーに平面粘着テープを巻きつけやすくするためのガイドを設ける積層パッドホールダーと、ローラーを上から近づけて、その平面粘着テープの最上段の１枚をローラーに巻きつけ始める状況を示しており、７はガイド、８は積層パッドホールダーを示す。【００１６】    図６は、筒状の粘着テープの形状を円錐台型にしてややテーパをもたせ、一方の直径を軸芯の直径と同等もしくはやや小さめにし、片方の直径をローラー軸芯の直径よりもやや大きめにした筒状の粘着テープの実施例およびＡ−Ａ断面を示し、９は筒状円錐台型にした粘着テープを示す。【００１７】  図７は、図６の筒状円錐台型にした粘着テープを平に折りたたんで、表面の粘着面がお互いに直接接触しないように、間にロー付け紙を挟んで多重に積層した積層パッド及び平に折りたたんだ粘着テープを一筒づつとって折りたたまれた角を手で外側から押しながら、筒状円錐台型の吹流し状に広げ、ローラー軸芯の直径よりもやや大きめの直径をもつ片方から、ローラーを挿入させる状況を示している。使用後は、その筒状の粘着テープをローラーから引き抜いてそのままゴミ箱に捨てて廃棄する。
１０は平に折りたたんだ粘着テープを、１１はロー付け紙を示す。
【産業上の利用可能性】
【００１８】  今日では、粘着式ローラークリーナは、主としてカーペットやフローリングのゴミを取るために事務所や家庭内等広い範囲にわたって使用されており、今後とも電気掃除機と併用して使用されることが見込まれる。
電気掃除機の場合、送風によりチリやほこりを舞い上げてしまうため、掃除をした後に宙に舞い上がったチリやほこりが再び床に落ち、汚れが取れていない状況が発生する。
粘着式ローラークリーナの場合は、チリやほこりを舞い上げることなく除去するため、はじめに粘着式ローラークリーナを使用してほとんどのゴミや誇りを除いた後に、電気掃除機で粘着式ローラークリーナではとりにくい隅々のゴミやほこりを取り除くのが最も効果的であるとの評価がある。
ところが、従来の粘着式ローラークリーナの使用に当たって、粘着テープの巻きほどけ及び使用後に髪の毛等長いものが絡みつくと表面の粘着テープを剥がし取ることができない状況が発生し、取り扱いが悪く使用者がいらいらする場合が多い。
この取り扱いを良くするために、粘着テープの巻きほどけを防止し、かつ髪の毛等長いものが絡み付いても簡単に除去できる手段を講じる必要がある。
本発明は、この手段を提供するもので、顧客満足度が高まることから、市場の要求が高まることが予想されるため、産業上の利用可能性が極めて高いものである。
さらに、ローラーに巻きつけるための平面粘着テープの多重積層パッド及び積層パッドホールダーの制作が容易であることから、安価でかつ短時間に多量の生産が可能である。
【図面の簡単な説明】
【００１９】
【図１】  使用直前にローラーに平面粘着テープを巻きつける状況を示すものである。
【図２】  使用後に筒状の粘着テープをローラーから引き抜く状況を示すものである。
【図３】  １枚の平面粘着テープの実施例を示すものである。
【図４】  平面粘着テープをローラーに巻き付けやすくするための耳を粘着面が上になるように折り曲げてローラーの一部に接着させている状況を示すものである。
【図５】  ローラーに巻きつけるための平面粘着テープを、裏面のロー付け面を上にして多重に積層した積層パッドを固定し、ローラーに平面粘着テープを巻きつけやすくするためのガイドを設ける積層パッドホールダーと、ローラーを上から近づけて、その平面粘着テープの最上段の１枚をローラーに巻きつけ始める状況を示すものである。
【図６】  筒状の粘着テープの形状を円錐台型にしてややテーパをもたせ、一方の直径を軸芯の直径と同等もしくはやや小さめにし、片方の直径をローラー軸芯の直径よりもやや大きめにした筒状の粘着テープの実施例及びＡ−Ａ断面を示すものである。
【図７】  図６の筒状円錐台型にした粘着テープを平に折りたたんで、表面の粘着面がお互いに直接接触しないように、間にロー付け紙を挟んで多重に積層した積層パッド及び平に折りたたんだ粘着テープを一筒づつとって折りたたまれた角を手で外側から押しながら、筒状円錐台型の吹流し状に広げ、ローラー軸芯の直径よりもやや大きめの直径をもつ片方から、ローラーを挿入させる状況を示すものである。
【符号の説明】
【００２０】  １；ローラー
２；平面粘着テープ
３；平面粘着テープの多重積層パッド
４；使用後に髪の毛等が絡みついた筒状の粘着テープ
５；ロー付けコーティングしない糊しろ部
６；平面粘着テープをローラーに巻き付けやすくするための耳
７；ガイド
８；積層パッドホールダー
９；筒状円錐台型にした粘着テープ
１０；平に折りたたんだ粘着テープ
１１；ロー付け紙
【図３】
2008000559.tif 000003
【図４】
2008000559.tif 000004
【図５】
2008000559.tif 000005
【図６】
2008000559.tif 000006
【図７】
2008000559.tif 000007
【手続補正書】
【提出日】平成18年7月18日(2006.7.18)
【手続補正１】
【補正対象書類名】明細書
【補正対象項目名】００１７
【補正方法】変更
【補正の内容】
【００１７】  図７は、図６の筒状円錐台型にした粘着テープを平に折りたたんで、表面の粘着面がお互いに直接接触しないように、間にロー付け紙を挟んで多重に積層した積層パッド及び平に折りたたんだ粘着テープを一筒づつとって折りたたまれた角を手で外側から押しながら、筒状円錐台型の吹流し状に広げ、ローラー軸芯の直径よりもやや大きめの直径をもつ片方から、ローラーを挿入させる状況を示している。また、当然のことながら、ローラーに筒状円錐台型にした粘着テープを巻きつけた後に、さらにロー付け紙を巻いてその上から筒状円錐台型にした粘着テープを巻きつける方式で、何枚も多重に巻きつけておくことも考えられる。このように筒状円錐台型にした粘着テープを多重に巻いた場合は、間に挟んだロー付け紙を剥がして次の筒状円錐台型にした粘着テープを露出させて使用し、使用後は、その筒状の粘着テープをローラーから引き抜いてそのままゴミ箱に捨てて廃棄する。
１０は平に折りたたんだ粘着テープを、１１はロー付け紙を示す。
【手続補正書】
【提出日】平成18年8月9日(2006.8.9)
【手続補正１】
【補正対象書類名】図面
【補正対象項目名】全図
【補正方法】変更
【補正の内容】
【図１】
2008000559.tif 000008
【図２】
2008000559.tif 000009
【図３】
2008000559.tif 000010
【図４】
2008000559.tif 000011
【図５】
2008000559.tif 000012
【図６】
2008000559.tif 000013
【図７】
2008000559.tif 000014